(57)【要約】【課題】車載カメラシステムにおいて、機械的な可動部を有することなく、単一のカメラで、ドライブレコーダ用と車上荒らし等抑止用との両方に用いるものとする。【解決手段】撮像領域のうち第一の領域には車外の像（Ｖ１）が撮像され、第二の領域には車内の像（Ｖ２）が撮像されるように、車両２００に取り付けられるカメラ装置１０と、カメラ装置１０により撮像された全体の像（Ｖ０）のうち車外の像Ｖ１と車内の像Ｖ２とを互いに独立した像として切り出すトリミング部２０と、トリミング部２０によって切り出された車外の像Ｖ１および車内の像Ｖ２のうち、記憶しようとするいずれか一方の像Ｖ１またはＶ２を、所定の条件に応じて選択する像選択部３０と、像選択部３０により選択された車外の像Ｖ１または車内の像Ｖ２を、記憶媒体５０に記憶させる記憶部４０とを備える。【選択図】図１
2008305189.tif 000002
【特許請求の範囲】
【請求項１】
撮像領域のうち、第一の領域には車外の像が撮像され、前記第一の領域とは異なる第二の領域には車内の像が撮像されるように、車両に取り付けられるカメラ装置と、
前記カメラ装置により撮像された像のうち、前記第一の領域に撮像された車外の像と前記第二の領域に撮像された車内の像とを、互いに独立した像として切り出すトリミング手段と、
前記トリミング手段によって切り出された前記車外の像および前記車内の像のうち、記憶しようとするいずれか一方の像を、所定の条件に応じて選択する像選択手段と、
前記像選択手段により選択された前記車外の像または前記車内の像を、記憶媒体に記憶させる記憶手段と、を備えたことを特徴とする車載カメラシステム。
【請求項２】
前記像選択手段は、前記車両のキースイッチのＡＣＣ信号がＯＮの期間中は前記車外の像を選択し、前記ＡＣＣ信号がＯＦＦの期間中は前記車内の像を選択することを特徴とする請求項１に記載の車載カメラシステム。
【請求項３】
前記像選択手段は、前記記憶媒体に記憶させようとする一方の像を選択する指示が入力される選択指示入力手段を有し、
前記像選択手段は、前記選択指示入力手段に前記指示が入力されたときは、前記ＡＣＣ信号のＯＮまたはＯＦＦの期間中に拘わらず、前記指示にしたがった像を選択することを特徴とする請求項２に記載の車載カメラシステム。
【請求項４】
前記像選択手段は、前記記憶媒体に記憶させようとする一方の像を選択する指示が入力される選択指示入力手段を有し、
前記像選択手段は、前記選択指示入力手段に前記指示が入力されたときは、前記指示にしたがった像を選択することを特徴とする請求項１に記載の車載カメラシステム。
【請求項５】
前記像選択手段は、前記車両が走行している期間中は前記車外の像を選択し、前記車両が停止している期間中は前記車内の像を選択することを特徴とする請求項１に記載の車載カメラシステム。
【請求項６】
前記記憶手段は、前記車外の像が選択されている期間中であって、前記車両に作用する減速の加速度が所定値以上となったときは、その後の所定時間経過後に、前記記憶媒体への記憶を停止することを特徴とする請求項１から５のうちいずれか１項に記載の車載カメラシステム。
【発明の詳細な説明】
【技術分野】
【０００１】
本発明は、車両に搭載される車載カメラシステムに関し、詳細には、車内と車外とを撮像するカメラシステムに関する。
【背景技術】
【０００２】
従来、飛行機に搭載されて、事故時の状況を後に分析・立証するのに役立てられていたフライトレコーダと同様に、車両に搭載されて事故時の映像を記録するドライブレコーダと称される技術が提案されている（特許文献１）。
【０００３】
このドライブレコーダは、走行時における車両状況をカメラで撮影し、その撮影された像をエンドレスで記録し、事故発生による衝突センサの作動により、エンドレスの記録を保存するものであり、車両状況を撮影するカメラの他に、運転状況を撮影する車室カメラをさらに備えた構成も提案されている。
【特許文献１】特開２０００−００６８５４号公報
【発明の開示】
【発明が解決しようとする課題】
【０００４】
ところで、近年、駐車中の車上荒らしや車両盗難（以下、車上荒らし等という。）を抑止する目的で、車両にカメラを搭載することが提案されており、上述したドライブレコーダ用のカメラを、車上荒らし等の抑止にも利用することが考えられる。
【０００５】
ここで、ドライブレコーダ用のカメラは車外の像を撮影対象としており、一方、車両荒らし等を抑止するカメラは車内の像を撮影対象としているため、特許文献１に開示されているように、車外撮影用のカメラと車内撮影用のカメラとをそれぞれ設けるか、１台のカメラの撮影方向を車外と車内とにそれぞれ向けることができるもの（例えば、特開２００５−０１４６８６号公報等）とする必要がある。
【０００６】
しかし、カメラを複数備える構成（特許文献１）は、コストの上昇を招くため好ましくなく、また、カメラの撮影方向を切り替えるものでは、機械的な可動部を有するため、切替え完了までに時間がかかり、瞬時の切替えを実現するのが困難であるとともに、機械的な構造の複雑化や動作音の発生などの問題がある。
【０００７】
本発明は上記事情に鑑みなされたものであり、機械的な可動部を有することなく、単一のカメラで、ドライブレコーダ用と車上荒らし等抑止用との両方に用いることができる車載カメラシステムを提供することを目的とする。
【課題を解決するための手段】
【０００８】
本発明に係る車載カメラシステムは、単一のカメラの撮像領域の一部に車外の像、他の一部の領域に車内の像がそれぞれ撮像され、車外の像と車内の像とが、それぞれトリミングされて（切り出されて）別個の独立した像とされ、これらのうち条件に応じた一方の像を記憶媒体に記憶させることで、機械的な可動部を有することなく、単一のカメラで、ドライブレコーダ用の像と車上荒らし等抑止用の像とを適切に得るものである。
【０００９】
すなわち、本発明に係る車載カメラシステムは、撮像領域のうち、第一の領域には車外の像が撮像され、前記第一の領域とは異なる第二の領域には車内の像が撮像されるように、車両に取り付けられるカメラ装置と、前記カメラ装置により撮像された像のうち、前記第一の領域に撮像された車外の像と前記第二の領域に撮像された車内の像とを、互いに独立した像として切り出すトリミング手段と、前記トリミング手段によって切り出された前記車外の像および前記車内の像のうち、記憶しようとする（記憶の対象とする）いずれか一方の像を、所定の条件に応じて選択する像選択手段と、前記像選択手段により選択された前記車外の像または前記車内の像を、記憶媒体に記憶させる記憶手段と、を備えたことを特徴とする。
【００１０】
ここで、車外の像は、主として車両の走行方向に向かって前方の像を意味し、車内の像は、主として車室内の像であり、いずれの像も、車体自体の像を含むものであってもよい。
【００１１】
カメラ装置は、撮像デバイスとしてのカメラ自体と、この撮像デバイスの撮像面に像を結像させる光学系とを備えた構成であり、撮像デバイスの撮像面には、車外の像と車内の像とが同時に撮像されるように、光学系として、広角のレンズ（例えば、３５ｍｍフィルム換算でｆ３５ｍｍ以下（画角６０°以上））を適用するか、または凸面鏡若しくは所定の交差角度（０°および１８０°を除いた角度）を有する２枚（３枚以上であってもよい）のミラーなど広画角を確保することができる光学系を適用することができる。
【００１２】
トリミング手段は、カメラ装置によって撮像されたフレーム単位の各像について、各像を構成する全領域の像のうち、互いに異なる２つの部分領域（第一の領域および第二の領域）を切り出す作用を奏するものであるが、この切り出される２つの部分領域は、一部分においても領域が重複しないものである必要はなく、一部分においては重複したものであってもよいが、これら２つの部分領域の全部が重複するものであってはならない。
【００１３】
所定の条件は、予め設定されたプログラムによるものであってもよいし、ユーザ（運転者等の乗員）による入力指示によるものであってもよい。ユーザによる入力指示によるものであるときは、像選択手段が、そのような指示の入力を受け付ける選択指示入力手段を備える。
【００１４】
記憶媒体としては、ＲＡＭ（フレームメモリ等）等の一時記憶メモリの他、ＳＤ、ＣＦ、ＭＭＣ、ＭＳ等のフラッシュメモリや、ハードデスク、テープ等であってもよい。
【００１５】
記憶手段による記憶媒体への記憶動作は、記憶状態の安定性が比較的高い記憶媒体へのダイレクトかつエンドレスな記憶動作だけでなく、例えば、ＲＡＭ等の一時格納メモリにエンドレスで記憶（時系列的に古いものから順次上書きを繰り返すことで、エンドレスな記憶を実現する）させつつ、この一時記憶メモリに記憶されている像のうち、所定のトリガがあったときに、所定の範囲だけを、より記憶状態の安定性が比較的高い他の記憶媒体に保存し直す動作であってもよい。
【００１６】
このように構成された本発明に係る車載カメラシステムによれば、単一のカメラ装置によって撮像された各撮像領域（各フレーム）内に、車外の像（第一の領域）と車内の像（第二の領域）とが同時に撮像されており、トリミング手段が、これら車外の像と車内の像とをそれぞれ互いに独立した像として切り出すことで、２つのカメラを用いることなく、しかも機械的な可動部を有することなく、車外の像と車内の像とをそれぞれ独立した像として得ることができる。
【００１７】
そして、像選択手段が、所定の条件に従って車外の像を選択している期間中は、記憶手段はその選択された車外の像を記憶媒体に記憶させるため、その記憶された車外の像を後の分析に用いることで、ドライブレコーダとしての機能を発揮させることができる。
【００１８】
一方、像選択手段が、所定の条件に従って車内の像を選択している期間中は、記憶手段はその選択された車内の像を記憶媒体に記憶させるため、その記憶された車内の像を後の分析に用いることで、車上荒らしの状況を特定するのに役立つとともに、車両盗難や車上荒らしを抑止することもでき、車上荒らし等抑止の機能を発揮させることができる。
【００１９】
なお、記憶媒体には、車外の像または車内の像だけが記憶されるため、カメラ装置で撮像された像全体が記憶されるものに比べて、記憶媒体に記憶されるデータ量を低減することができ、記憶媒体の記憶容量を節約することができる。
【００２０】
本発明に係る車載カメラシステムにおいては、前記像選択手段は、前記車両のキースイッチ（イグニッションスイッチ）のＡＣＣ信号がＯＮの期間中（キースイッチがＡＣＣポジション、ＯＮポジション、スタートポジションのとき）は前記車外の像を選択し、前記ＡＣＣ信号がＯＦＦの期間中（キースイッチがＯＦＦポジションおよびＬＯＣＫポジションのとき）は前記車内の像を選択すること（前記所定の条件がそのように設定されていること）が好ましい。
【００２１】
車両のキースイッチのＡＣＣ信号がＯＮの期間中は、車両に乗員が乗車している状態（または乗車している確率が高い状態）であるため、車上荒らし等抑止のための車内の像の必要性は乏しい一方、ドライブレコーダとして機能する車外の像の必要性は高い。したがって、この期間中は、像選択手段が車外の像を自動的に選択することで、必要性に適応した像を自動的に記憶させることができ、利便性を高めることができる。
【００２２】
これに対して、車両のキースイッチのＡＣＣ信号がＯＦＦの期間中は、車両に乗員が乗車していない状態（または乗車していない確率が高い状態）であるため、ドライブレコーダとして機能する車外の像の必要性よりも、車上荒らし等抑止のための車内の像の必要性が高い。したがって、この期間中は、像選択手段が車内の像を自動的に選択することで、必要性に適応した像を自動的に記憶させることができ、利便性を高めることができる。
【００２３】
本発明に係る車載カメラシステムにおいては、前記像選択手段は、前記記憶媒体に記憶させようとする一方の像を選択する指示が入力される選択指示入力手段を有し、前記像選択手段は、前記選択指示入力手段に前記指示が入力されたときは、前記ＡＣＣ信号のＯＮまたはＯＦＦの期間中に拘わらず、前記指示にしたがった像を選択することが好ましい。
【００２４】
このように好ましい構成の車載カメラシステムによれば、像選択手段が、記憶媒体に記憶させる像の選択を、キースイッチのＡＣＣ信号に応じて自動的に切り替えるものであっても、ユーザの任意の意志に基づいた選択の指示が手動で選択指示入力手段に入力されたときは、その入力された選択の指示を優先して像の選択を行うことができる。
【００２５】
例えば、キースイッチがＯＦＦポジションやＬＯＣＫポジションのとき（駐車状態）であっても、乗員が乗車している期間中のように、車上荒らし等抑止の必要性が乏しいときは、ユーザが車外の像を選択する指示を選択指示入力手段に入力することで、像選択手段は車外の像を選択するため、駐車中における他車からの不測の衝突の際の像を記憶させることができる。
【００２６】
なお、選択指示入力手段に入力された選択指示に基づく優先的な像の選択は、選択指示入力手段に選択指示が入力されてからの一定の時間だけ有効に働き、その一定の時間が経過した後は、像選択手段が、ＡＣＣ信号に応じた自動的な選択に自動復帰するのが、より好ましい。ユーザによる切替えの戻し操作（手動選択から自動選択に戻す操作）忘れを防止することができるからである。
【００２７】
本発明に係る車載カメラシステムにおいては、前記像選択手段は、前記記憶媒体に記憶させようとする一方の像を選択する指示が入力される選択指示入力手段を有し、前記像選択手段は、前記選択指示入力手段に前記指示が入力されたときは、前記指示にしたがった像を選択することが好ましい。
【００２８】
このように好ましい構成の車載カメラシステムによれば、選択指示入力手段に、ユーザの任意の意志に基づいた選択の指示が入力され、その入力された選択の指示にしたがって像の選択を行うことができるため、ユーザの意志を反映したものとすることができる。
【００２９】
なお、像選択手段が、初期的に設定された自動的の選択を行うものの場合は、選択指示入力手段に入力された選択指示に基づく像の選択は、選択指示入力手段に選択指示が入力されてからの一定の時間だけ有効に働き、その一定の時間が経過した後は、像選択手段による自動的な選択に自動復帰するようにしてもよい。ユーザによる切替えの戻し操作（手動選択から自動選択に戻す操作）忘れを防止することができるからである。
【００３０】
本発明に係る車載カメラシステムにおいては、前記像選択手段は、前記車両が走行している期間中は前記車外の像を選択し、前記車両が停止している期間中は前記車内の像を選択することが好ましい。
【００３１】
車両が走行している期間中は、車両に乗員が乗車している状態であるため、車上荒らし等抑止のための車内の像の必要性は乏しい一方、ドライブレコーダとして機能する車外の像の必要性は高い。したがって、この期間中は、像選択手段が車外の像を自動的に選択することで、必要性に適応した像を自動的に記憶させることができ、利便性を高めることができる。
【００３２】
これに対して、車両が停止している期間中は、車両に乗員が乗車していない状態（または乗車していない確率が高い状態）であるため、ドライブレコーダとして機能する車外の像の必要性よりも、車上荒らし等抑止のための車内の像の必要性が高い。したがって、この期間中は、像選択手段が車内の像を自動的に選択することで、必要性に適応した像を自動的に記憶させることができ、利便性を高めることができる。
【００３３】
なお、車両が走行している期間中であるか停止している期間中であるかの判定は、車両に既存の車速センサ等の出力やＧＰＳ（全地球測位システム）による位置データの出力等を利用して行ってもよいし、カメラ装置によって撮像された第一の領域における車外の像の動きを、画像処理により略リアルタイムに分析して行うようにしてもよい。
【００３４】
カメラ装置によって撮像された第一の領域における車外の像の動きに基づいて判定する場合、その車外の像の動きの分析用の画像処理部は本発明に係る車載カメラシステムが備えるものであってもよいし、車両に画像分析用の画像処理部を既に有しているものでは、その画像処理部において判定させるようにしてもよい。
【００３５】
本発明に係る車載カメラシステムにおいては、前記記憶手段は、前記車外の像が選択されている期間中であって、前記車両に作用する減速の加速度（速度が低下する加速度）が所定値以上（加速度の値を大きさ（絶対値）で捉えた場合。これに対して減速の加速度を負の値と定義した場合は、「所定値以上」を「所定値以下」と読み替えるものとする。）となったときは、その後の所定時間経過後に、前記記憶媒体への記憶を停止することが好ましい。
【００３６】
ここで、上記所定値は、車両の衝突の際に当該車両に作用する減速加速度に相当する値であり、この値は実験等に基づいて予め設定される。
【００３７】
そして、車両に作用する減速の加速度が所定値以上となったときは、車両が衝突等の衝撃を受けたときであり、その衝撃を受けた後の所定時間経過後まで車外の像の記憶を行わせることで、ドライブレコーダとしての役割は必要十分であるため、所定時間経過後に記憶媒体への記憶を停止して記憶媒体の記憶容量を節約することができる。
【００３８】
また、記憶媒体への記憶をエンドレスで繰り返し行う態様のものにおいては、所定時間経過後もエンドレスで記憶され続けると、記憶された衝突時における車外の像が上書きされて消失してしまうが、所定時間経過後に記憶媒体への記憶を停止することで、衝突時の車外の像が上書きされるのを確実に防ぐことができる。
【００３９】
なお、車両に作用する減速の加速度が所定値以上か否かの判定は、車両に予め設けられた加速度センサ（Ｇセンサ）からの出力を利用してもよいし、そのような加速度センサと同様の出力を得ることができる検出手段を、車載カメラシステム自体が備えてもよい。
【００４０】
また、所定時間経過の判定は、像選択手段がタイマを備え、このタイマによる計時結果に基づいて像選択手段が判定を行うものとすればよい。
【発明の効果】
【００４１】
本発明に係る車載カメラシステムによれば、機械的な可動部を有することなく、単一のカメラで、ドライブレコーダ用と車上荒らし等抑止用との両方に用いることができる。
【発明を実施するための最良の形態】
【００４２】
以下、本発明に係る車載カメラシステムの最良の実施形態について、図面を参照して説明する。
【００４３】
図１は、本発明の実施例である車載カメラシステム１００の構成を示すブロック図、図２は、図１に示した車載カメラシステム１００のうちカメラ装置１０の撮像領域を模式的に示す図をそれぞれ表す。
【００４４】
図示の車載カメラシステム１００は、図２に示すように、その撮像領域（視野角θに対応）のうち第一の領域（視野角αに対応）には車外の像Ｖ１が撮像され、第一の領域とは異なる第二の領域には車内の像Ｖ２が撮像されるように、車両２００に取り付けられるカメラ装置１０と、カメラ装置１０により撮像された像Ｖ０（視野角θの撮像領域に撮像されたフレーム全体の像）のうち、第一の領域に撮像された車外の像Ｖ１と第二の領域に撮像された車内の像Ｖ２とを、互いに独立した像として切り出すトリミング部２０（トリミング手段）と、トリミング部２０によって切り出された車外の像Ｖ１および車内の像Ｖ２のうち、記憶しようとするいずれか一方の像Ｖ１またはＶ２を、所定の条件に応じて選択する像選択部３０（像選択手段）と、像選択部３０により選択された車外の像Ｖ１または車内の像Ｖ２を、記憶媒体５０に記憶させる記憶部４０（記憶手段）とを備え、カメラ装置１０を除いた部分は、車両２００の例えばダッシュボード２１０の背面側に隠して配設されている。
【００４５】
カメラ装置１０は、車室内の前方上部に設置され、画角１２０°程度の広角レンズ１２と、この広角レンズ１２の焦点面に撮像面が配置されたＣＣＤイメージセンサまたはＣＭＯＳイメージセンサからなる撮像デバイス１１とを備えている。
【００４６】
そして、視野角αの第一の領域には、車両２００が通常の走行状態における走行方向前方Ｆの車外の像Ｖ１が撮像され、視野角βの第二の領域には、ダッシュボード、ハンドルおよび前席など車内の像Ｖ２が撮像される。
【００４７】
なお、広角レンズ１２に代えて、凸面鏡（特開昭６０−１０２０７９号公報の図１，２に示された凸面鏡１等）や、交差角度を有する２枚（３枚以上であってもよい）のミラーなどを適用することもできる。
【００４８】
トリミング部２０は、カメラ装置１０によって撮像されたフレーム単位の各像について、各像を構成する全領域の像Ｖ０のうち、互いに異なる２つの部分領域（第一の領域および第二の領域）を切り出す作用を奏するものであるが、この切り出される２つの部分領域は、一部分においても領域が重複しないものである必要はなく、一部分においては重複したものであってもよいが、これら２つの部分領域の全部が重複するものであってはならない。なお、本実施形態（図２参照）においては、第一の領域と第二の領域とは重複領域がない。
【００４９】
また、トリミング部２０は、カメラ装置１０により得られた像（例えばＮＴＳＣ規格に準拠したアナログ信号）をデジタル信号に変換するＡ／Ｄコンバータ２１と、このＡ／Ｄコンバータ２１によりデジタル信号化された像Ｖ０に対して、像の視点変換等の処理（拡縮に伴う補間処理や、ノイズ除去等画質向上処理など）を施す画質生成部２２と、画質生成部２２により処理された後の像Ｖ０から、車外の像Ｖ１と車内の像Ｖ２とを互いに独立した像として切り出す画像切出部２３とを備えている。
【００５０】
なお、カメラ装置１０から出力された時点で、像Ｖ０の信号がデジタル化されているものでは、Ａ／Ｄコンバータ２１を省略することができる。
【００５１】
像選択部３０は、トリミング部２０によって切り出された車外の像Ｖ１および車内の像Ｖ２のうち、記憶媒体５０に記憶しようとするいずれか一方の像Ｖ１またはＶ２を、所定の条件に応じて選択する制御を行う画像制御部３２と、この画像制御部３２による選択にしたがって、トリミング部２０から入力された車外の像Ｖ１または車内の像Ｖ２を出力する画像出力部３１と、車両の乗員であるユーザによるマニュアルでの像の選択指示が入力されるＯＮ／ＯＦＦスイッチ３３（選択指示入力手段）と、を備えている。
【００５２】
ここで、画像制御部３２による所定の条件にしたがった像の選択は、車両２００のキースイッチ（イグニッションスイッチ）２２０のＡＣＣ信号がＯＮの期間中（キースイッチ２２０がＡＣＣポジション、ＯＮポジション、スタートポジションのとき）は車外の像Ｖ１を、ＡＣＣ信号がＯＦＦの期間中（キースイッチ２２０がＯＦＦポジションおよびＬＯＣＫポジションのとき）は車内の像Ｖ２を、それぞれ自動的に選択するものである。
【００５３】
ただし、上述した所定の条件は自動的な選択を行う場合の条件であり、ＯＮ／ＯＦＦスイッチ３３にユーザからのマニュアルでの選択指示が入力されたときは、ＡＣＣ信号のＯＮまたはＯＦＦの期間中に拘わらず、ＯＮ／ＯＦＦスイッチ３３に入力された指示にしたがった像を選択する。
【００５４】
すなわち、ユーザの操作により、ＯＮ／ＯＦＦスイッチ３３がＯＮに切り替えられてＯＮ信号が入力されたときは、画像制御部３２は、入力されているＡＣＣ信号のＯＮまたはＯＦＦの別に拘わらず、車外の像Ｖ１を選択するように画像出力部３１を制御し、一方、ＯＮ／ＯＦＦスイッチ３３がＯＦＦに切り替えられているときはＯＮ信号は出力されず、画像制御部３２は、入力されているＡＣＣ信号のＯＮまたはＯＦＦの別にしたがって、車外の像Ｖ１（ＡＣＣ信号がＯＮのとき）または車内の像Ｖ２（ＡＣＣ信号がＯＦＦのとき）を選択するように画像出力部３１を制御する。
【００５５】
さらに、画像制御部３２には、車両に既設の加速度センサ（Ｇセンサ）２３０に作用する減速の加速度（速度が低下する加速度）が所定値以上（加速度の値を大きさ（絶対値）で捉えた場合。これに対して減速の加速度を負の値と定義した場合は、「所定値以上」を「所定値以下」と読み替えるものとする。）となったとき、このＧセンサ２３０から出力されるＧセンサ信号が入力されている。
【００５６】
このＧセンサ２３０は、例えば車両に既設のエアバッグシステムを起動させるトリガ信号となるＧセンサ信号を出力するために設置されているものを、そのまま流用することができる。
【００５７】
記憶部４０は、画像出力部３１から選択的に出力された車外の像Ｖ１または車内の像Ｖ２を、例えばＪＰＥＧ形式で圧縮処理する画像圧縮部４１と、画像圧縮部４１で圧縮処理された後の像Ｖ１′（車外の像Ｖ１を圧縮処理したもの）またはＶ２′（車内の像Ｖ２を圧縮処理したもの）を、記憶媒体５０に記憶させる圧縮画像記憶部４２と、を備えている。
【００５８】
ここで、画像圧縮部４１による圧縮形式は、上述したＪＰＥＧ形式に限定されるものではなく、ＧＩＦ形式やＰＮＧ形式等公知の種々の形式を適用することができる。また、記憶媒体５０の記憶容量に余裕がある場合には、記憶させる像Ｖ１，Ｖ２を圧縮する必要はなく、この場合、画像圧縮部４１を備える必要はない。なお、像Ｖ１，Ｖ２を非圧縮で記憶媒体５０に記憶させる際の像の形式も種々の形式を適用することができ、例えば非圧縮のＴＩＦＦ形式やＢＭＰ形式等を適用することができる。
【００５９】
圧縮画像記憶部４２は、車外の像の圧縮像Ｖ１′を記憶媒体５０に記憶させる場合、像選択部３０の画像制御部３２からの制御を受けており、Ｇセンサ２３０から出力されたＧセンサ信号が画像制御部３２に入力されたとき、すなわち、車両２００に作用する減速の加速度が所定値以上となったとき、そのＧセンサ信号の入力から所定時間経過後に、記憶媒体５０への像Ｖ１′の記憶を停止するように、画像制御部３２が圧縮画像記憶部４２を制御している。
【００６０】
ここで、Ｇセンサ信号が出力される減速加速度の所定値は、車両２００の衝突の際に当該車両２００に作用する減速加速度に相当する値であり、この値は実験等に基づいて予め設定される。
【００６１】
なお、圧縮画像記憶部４２は、車外の像の圧縮像Ｖ１′を記憶媒体５０に記憶させる場合、ＯＮ／ＯＦＦスイッチ３３がユーザによりＯＮに切り替えられたとき、そのＯＮに切り替えられてから所定時間経過後に、記憶媒体５０への像Ｖ１′の記憶を停止するように、画像制御部３２が圧縮画像記憶部４２を制御してもよい。
【００６２】
次に本実施形態に係る車載カメラシステム１００の作用について説明する。
【００６３】
まず、カメラ装置１０は、視野角θに対応した全体の撮像領域に像Ｖ０を撮像し、トリミング部２０に出力する。
【００６４】
トリミング部２０のＡ／Ｄコンバータ２１に入力された像Ｖ０はデジタル信号化され、画質生成部２２において画像処理を施され、画像切出部２３において、この全体の像Ｖ０から車外の像Ｖ１と車内の像Ｖ２とを切り出され、これら車外の像Ｖ１および車内の像Ｖ２は画像出力部３１に入力される。
【００６５】
画像出力部３１は、画像制御部３２による制御にしたがって、車外の像Ｖ１および車内の像Ｖ２のうち一方を画像圧縮部４１に出力する。
【００６６】
すなわち、車両２００が通常の運転状態（走行状態および信号等によって一時停止している状態）にあるとき、キースイッチ２２０のＡＣＣ信号はＯＮ（キースイッチ２２０はＯＮポジション）であるため、画像制御部３２は、車外の像Ｖ１を自動的に選択し、これにより、画像出力部３１は、車外の像Ｖ１を画像圧縮部４１に出力する。
【００６７】
画像圧縮部４１は、入力された車外の像Ｖ１をＪＰＥＧ形式で圧縮処理して像Ｖ１のデータサイズを小さくし、得られた圧縮像Ｖ１′を圧縮画像記憶部４２に出力し、圧縮画像記憶部４２は記憶媒体５０に、車外の像Ｖ１の圧縮像Ｖ１′を記憶させる。
【００６８】
これにより、運転中に事故等が発生した場合に、記憶媒体５０に記憶された車外の像Ｖ１′を、後に記憶媒体５０から読み出して、事故時の車外の像Ｖ１を分析することで、ドライブレコーダとしての機能を発揮させることができる。
【００６９】
一方、車両２００が駐車中のときなど、運転者（ユーザ）が車両２００から離れているとき、キースイッチ２２０のＡＣＣ信号はＯＦＦ（キースイッチ２２０はＬＯＣＫポジション）であるため、画像制御部３２は、車内の像Ｖ２を自動的に選択し、これにより、画像出力部３１は、車内の像Ｖ２を画像圧縮部４１に出力する。
【００７０】
画像圧縮部４１は、入力された車内の像Ｖ２をＪＰＥＧ形式で圧縮処理して像Ｖ２のデータサイズを小さくし、得られた圧縮像Ｖ２′を圧縮画像記憶部４２に出力し、圧縮画像記憶部４２は記憶媒体５０に、車内の像Ｖ２の圧縮像Ｖ２′を記憶させる。
【００７１】
これにより、駐車中に車上荒らし等が発生した場合に、記憶媒体５０に記憶された車内の像Ｖ２′を、後に記憶媒体５０から読み出して、車内の像Ｖ２を分析することで、車上荒らしの状況を特定するのに役立てることができる。また、カメラ装置１０の存在により、車両盗難や車上荒らしを威嚇し、これらの犯罪行為を抑止する効果もある。
【００７２】
以上のように、本実施形態に係る車載カメラシステム１００によれば、単一のカメラ装置１０によって撮像された各撮像領域（各フレーム）内に、車外の像Ｖ１と車内の像Ｖ２とが同時に撮像されており、トリミング部２０が、これら車外の像Ｖ１と車内の像Ｖ２とをそれぞれ互いに独立した像として切り出すことで、２つのカメラ装置を用いることなく、しかも機械的な可動部を有することなく、車外の像Ｖ１と車内の像Ｖ２とをそれぞれ独立した像として得ることができる。
【００７３】
また、記憶媒体５０には、車外の像Ｖ１または車内の像Ｖ２だけが記憶されるため、カメラ装置１０で撮像された全体の像Ｖ０が記憶されるものに比べて、記憶媒体５０に記憶されるデータ量を低減することができ、記憶媒体５０の記憶容量を節約することができる。
【００７４】
上述した実施形態の車載カメラシステム１００において、ＯＮ／ＯＦＦスイッチ３３にユーザからのマニュアルでの選択指示が入力されたときは、画像制御部３２は、ＡＣＣ信号のＯＮまたはＯＦＦの期間中に拘わらず、すなわち車両が運転中であるか駐車中であるかを問わず、ＯＮ／ＯＦＦスイッチ３３に入力された指示にしたがった像を選択する。
【００７５】
したがって、ユーザの操作により、ＯＮ／ＯＦＦスイッチ３３がＯＮに切り替えられてＯＮ信号が入力されたときは、画像制御部３２は、入力されているＡＣＣ信号がＯＦＦであっても、優先的に車外の像Ｖ１を選択するように画像出力部３１を制御するため、駐車中における他車からの不測の衝突の際の像（車外の像Ｖ１）を記憶させることができ、後の分析に役立てることができる。
【００７６】
なお、ＯＮ／ＯＦＦスイッチ３３がＯＮに切り替えられて、マニュアルでの選択指示に基づく優先的な車外の像Ｖ１の選択は、ＯＮ／ＯＦＦスイッチ３３がＯＮに切り替えられてからの一定の時間だけ有効に働き、その一定の時間が経過した後は、ＡＣＣ信号に応じた自動的な選択に自動復帰するのが好ましい。ユーザによる切替えの戻し操作（マニュアルによる選択から自動選択に戻す操作）忘れを防止することができるからである。
【００７７】
また、画像制御部３２は、画像出力部３１からの出力対象として車外の像Ｖ１を選択している期間中に、Ｇセンサ２３０からのＧセンサ信号が入力されたときは、そのＧセンサ信号が入力されてから所定時間の経過後に、圧縮画像記憶部４２による記憶媒体５０への記憶操作を停止させるように、圧縮画像記憶部４２を制御している。
【００７８】
この結果、車両２００に作用する減速の加速度が所定値以上となったときは、車両２００が衝突等の衝撃を受けたときであり、その衝撃を受けた後の所定時間経過後まで車外の像Ｖ１の記憶を行わせることで、ドライブレコーダとしての役割は必要十分であるため、所定時間経過後に記憶媒体５０への記憶を停止して記憶媒体５０の記憶容量を節約することができる。
【００７９】
また、記憶媒体５０への記憶をエンドレスで繰り返し行わせるタイプの記憶部４０の場合は、所定時間経過後もエンドレスで記憶され続けると、記憶媒体５０に記憶された衝突時における車外の像Ｖ１が上書きされて消失してしまう虞があるが、所定時間経過後に記憶媒体５０への記憶を停止することで、衝突時の車外の像Ｖ１が上書きされるのを確実に防ぐことができる。
【００８０】
なお、所定時間経過の判定は、画像制御部３２がタイマを備え、このタイマによる計時結果に基づいて画像制御部３２が判定を行うものとすればよい。
【００８１】
上述した実施形態において、記憶部４０は、記憶媒体５０に対して、車外の像Ｖ１または車内の像Ｖ２を常時記憶させていることとなるが、記憶媒体５０の記憶容量を節約する観点から、常時記憶に代えて、例えば０．５秒間隔など間欠的な記憶を行わせるようにしてもよい。特に、ＡＣＣ信号がＯＦＦの場合には、車載バッテリの消費を抑制する観点からも、間欠的な記憶を行わせるのが好ましい。
【００８２】
また、Ｇセンサ２３０以外にも、振動センサ（不正解錠や車両２００への攻撃などを検知するセンサ）や動きセンサ（車両２００に近付く不審者等を検知するセンサ）などのセンサを備えて、これらのセンサが作動して検知信号を画像制御部３２に出力したときは、画像制御部３２は、画像出力部３１からの出力対象として車内の像Ｖ２を選択している期間中に、これらセンサの検知信号が入力されてから所定時間の経過後に、圧縮画像記憶部４２による記憶媒体５０への記憶操作を停止させるように、圧縮画像記憶部４２を制御してもよい。
【００８３】
このように制御したものでは、駐車中に振動センサや動きセンサによる検知信号が出力されたときは、車上荒らし等が発生したときであり、その検知信号の入力後の所定時間経過後まで車内の像Ｖ２の記憶を行わせれば、車上荒らし等の状況を記憶させるのに必要十分であるため、所定時間経過後に記憶媒体５０への記憶を停止して記憶媒体５０の記憶容量を節約することができる。
【００８４】
また、記憶媒体５０への記憶をエンドレスで繰り返し行わせるタイプの記憶部４０の場合は、所定時間経過後もエンドレスで記憶され続けると、記憶媒体５０に記憶された車上荒らし等発生時における車内の像Ｖ２が上書きされて消失してしまう虞があるが、所定時間経過後に記憶媒体５０への記憶を停止することで、車上荒らし等発生時の車内の像Ｖ２が上書きされるのを確実に防ぐことができる。
【００８５】
上述した実施形態の車載カメラシステム１００は、ＡＣＣ信号のＯＮまたはＯＦＦの別に応じて、画像制御部３２が、画像出力部３１からの出力対象の像Ｖ１またはＶ２を、自動的に選択する制御を前提としたものであるが、本発明に係る車載カメラシステム１００は、そのような自動選択を前提とするものに限定されるものではない。
【００８６】
すなわち、ＯＮ／ＯＦＦスイッチ３３に、ユーザによるマニュアルの選択が入力されたか（ＯＮ信号発生）否か（ＯＮ信号発生せず）のみ応じて、画像選択部３２が画像出力部３１からの出力対象の像Ｖ１またはＶ２を選択するように制御してもよい。
【００８７】
つまり、ユーザがＯＮ／ＯＦＦスイッチ３３を操作してＯＮ信号を発生させたときは、画像選択部３２は画像出力部３１から出力される像として車外の像Ｖ１を選択するように、ユーザがＯＮ／ＯＦＦスイッチ３３を操作せずにＯＮ信号を発生させないときは、画像選択部３２は画像出力部３１から出力される像として車内の像Ｖ２を選択するように、画像出力部３１を制御すればよい。
【００８８】
また、上述した実施形態の車載カメラシステム１００は、ＡＣＣ信号がＯＮのとき、車両２００が運転状態にあるとみなし、ＡＣＣ信号がＯＦＦのとき、車両２００が駐車状態にあるとみなしたものであるが、ＡＣＣ信号がＯＮであっても、エンジンを掛けたまま駐車している場合もあり、この場合には、車上荒らしを警戒するのが適切である。
【００８９】
したがって、画像制御部３２は、車両２００が実際に走行している期間中は車外の像Ｖ１を選択し、車両２００が停止している期間中は車内の像Ｖ２を選択するものとすればよい。
【００９０】
なお、車両２００が実際に走行している期間中であるか停止している期間中であるかの判定は、車両２００に既存の車速センサ等の出力やＧＰＳ（全地球測位システム）による位置データの出力等を利用して行ってもよいし、カメラ装置１０によって撮像された第一の領域における車外の像Ｖ１の動きを、画像処理により略リアルタイムに分析して行うようにしてもよい。
【００９１】
カメラ装置１０によって撮像された第一の領域における車外の像Ｖ１の動きに基づいて判定する場合、その車外の像Ｖ１の動きの分析用の画像処理部は、本実施形態に係る車載カメラシステム１００における像選択部３０などが備えるものであってもよいし、車両２００に画像分析用の画像処理部を既に有しているものでは、その画像処理部において判定させるようにしてもよい。
【図面の簡単な説明】
【００９２】
【図１】本発明の一実施例である車載カメラシステムの構成を示すブロック図である。
【図２】図１に示した車載カメラシステムの車載例を示す模式図である。
【符号の説明】
【００９３】
１０    カメラ装置
２０    トリミング部（トリミング手段）
３０    像選択部（像選択手段）
４０    記憶部（記憶手段）
５０    記憶媒体
１００  車載カメラシステム
２００  車両
【図１】
2008305189.tif 000003
【図２】
2008305189.tif 000004